(57)【要約】  本発明のクラッド鋼板は、母材鋼板に合せ材が接合されたものであって、母材鋼板の成分組成は、質量％で、Ｃ：０．１２０〜０．１８０％、Ｓｉ：０．１５〜０．４０％、Ｍｎ：０．５０〜０．９０％、Ｐ：０．０２０％以下、Ｓ：０．０１０％以下、Ｃｕ＋Ｎｉ＋Ｃｒ：０．８００〜１．１００％（ただし、各元素記号は各元素の含有量を示す。）、Ｍｏ：０．４５〜０．６０％、Ｎｂ：０．００５〜０．０２５％、Ａｌ：０．００５〜０．０５０％、Ｎ：０．００１０〜０．００７０％、を含有し、残部がＦｅ及び不可避的不純物からなり、母材鋼板の板厚方向の板厚１／２位置におけるベイナイトの面積率は２０％以上であり、板厚方向の板厚１／２位置におけるフェライトの平均結晶粒径は１５μｍ以下である。【特許請求の範囲】
【請求項１】
母材鋼板に合せ材が接合されているクラッド鋼板であって、  前記母材鋼板の成分組成は、質量％で、  Ｃ：０．１２０〜０．１８０％、  Ｓｉ：０．１５〜０．４０％、  Ｍｎ：０．５０〜０．９０％、  Ｐ：０．０２０％以下、  Ｓ：０．０１０％以下、  Ｍｏ：０．４５〜０．６０％、  Ｎｂ：０．００５〜０．０２５％、  Ａｌ：０．００５〜０．０５０％、および  Ｎ：０．００１０〜０．００７０％、を含有し、さらに、Ｃｕ、Ｎｉ、Ｃｒを、  Ｃｕ＋Ｎｉ＋Ｃｒ：０．８００〜１．１００％、  （ただし、各元素記号は各元素の含有量を示す。）を満足する範囲で含有し、残部がＦｅ及び不可避的不純物からなり、  前記母材鋼板の板厚方向の板厚１／２位置におけるベイナイトの面積率は２０％以上であり、板厚方向の板厚１／２位置におけるフェライトの平均結晶粒径は１５μｍ以下であるクラッド鋼板。
【請求項２】
前記母材鋼板の成分組成が、さらに質量％で、  Ｃｕ：０．３０〜０．４０％、  Ｎｉ：０．３０〜０．４０％、  Ｃｒ：０．２０〜０．３０％を含有する請求項１に記載のクラッド鋼板。
【請求項３】
前記母材鋼板の成分組成が、さらに質量％で、Ｖ：０．００５〜０．０３０％、Ｔｉ：０．００５〜０．０３０％、Ｃａ：０．０００５〜０．００４０％のうちから選ばれた１種または２種以上を含有する請求項１または２に記載のクラッド鋼板。
【請求項４】
前記合せ材は、ステンレス鋼からなる請求項１〜３のいずれか１項に記載のクラッド鋼板。
【請求項５】
前記合せ材は、Ｎｉ基合金からなる請求項１〜３のいずれか１項に記載のクラッド鋼板。
【請求項６】
請求項１〜３のいずれか１項に記載の母材鋼板の成分組成を有する母材鋼板の素材とステンレス鋼からなる合せ材の素材とを組み立てた組立スラブを、表面温度で１０５０℃〜１２００℃の温度域に加熱し、  加熱した前記組立スラブに表面温度９５０℃以上の温度域での圧下比１．５以上とする圧延を施して圧延板を作製し、  前記圧延板に、前記母材鋼板の板厚方向の板厚１／２位置の温度でＡｃ３変態点以上１０００℃以下の焼きならしを２回以上施す  クラッド鋼板の製造方法。
【請求項７】
請求項１〜３のいずれか１項に記載の母材鋼板の成分組成を有する母材鋼板の素材とＮｉ基合金からなる合せ材の素材とを組み立てた組立スラブを、表面温度で１０５０℃〜１２００℃の温度域に加熱し、  加熱した前記組立スラブに表面温度９５０℃以上の温度域での圧下比２．０以上であって、圧延終了温度を前記組立スラブの表面温度８００℃以上とする圧延を施して圧延板を作製し、  前記圧延板に、前記母材鋼板の板厚方向の板厚１／２位置の温度でＡｃ３変態点以上１０００℃以下の焼きならしを２回以上施す  クラッド鋼板の製造方法。
【請求項８】
前記組立スラブを、母材鋼板の素材、合せ材の素材、合せ材の素材、母材鋼板の素材の順に積層して、または母材鋼板の素材と合せ材の素材とを積層して組み立てる請求項６または７に記載のクラッド鋼板の製造方法。
【発明の詳細な説明】
【技術分野】
【０００１】  本発明は、例えばコークドラムなどに用いられるクラッド鋼板およびその製造方法に関する。
【背景技術】
【０００２】  クラッド鋼板とは、炭素鋼などの母材鋼板に、耐食性合金からなる合せ材を張り合わせた鋼板である。クラッド鋼板は、構造部材としての機械的特性と耐食性を兼ね備え、無垢材耐食性合金と比較して安価であるという特長を有している。そのため、クラッド鋼板は、造船、圧力容器、エネルギー分野を主とした産業分野で広く使用されており、資源開発における腐食環境の厳しい物件が増加していることを背景に需要が高まっている。【０００３】  従来から、例えば圧力容器用等に用いられるクラッド鋼板として、炭素鋼より高温強度の高い１Ｃｒ−１／２Ｍｏ鋼等を母材（例えば特許文献１参照）としたクラッド鋼板が知られている。また、ディレイドコーキングプロセスに使用されるコークドラムでは、１・１／４Ｃｒ−１／２Ｍｏ鋼や１Ｃｒ−１／２Ｍｏ鋼が採用されるケースが多く、一部１／２Ｍｏ鋼が採用されるケースもある。【０００４】  コークドラムにおいて、運転時には運転温度が約４４０℃〜５００℃、運転圧力が約１〜７ｋｇ／ｃｍ２Ｇになり、コークス取り出し時には、常温及び大気圧になるようなサイクルが１６〜２４時間おきに繰り返される。一方、コークドラムの内部はＨ２Ｓ環境であるため、高温硫化対策として、合せ材にはＳＵＳ４０５やＳＵＳ４１０Ｓのような１３Ｃｒ系ステンレス鋼やＡｌｌｏｙ６２５のようなＮｉ基合金が採用される。
【先行技術文献】
【特許文献】
【０００５】
【特許文献１】特開２００１−２４７９１５号公報
【発明の概要】
【発明が解決しようとする課題】
【０００６】  上述のような焼きならしによって製造されたクラッド鋼板における１／２Ｍｏ鋼からなる母材は、ミクロ組織が粗大なフェライトと硬質なベイナイトとの複相組織となる。このため、母材靱性が著しく劣化することが知られており、母材強度と母材靱性との両立は困難である。【０００７】  本発明は、上記の現状に鑑み開発されたものであって、母材強度と母材靱性とを両立したクラッド鋼板を、その製造方法とともに提供することを目的とする。
【課題を解決するための手段】
【０００８】  本発明は、上記目的を達成すべくなされたものであり、その要旨は次の通りである。［１］  母材鋼板に合せ材が接合されているクラッド鋼板であって、  母材鋼板に合せ材が接合されているクラッド鋼板であって、  前記母材鋼板の成分組成は、質量％で、  Ｃ：０．１２０〜０．１８０％、  Ｓｉ：０．１５〜０．４０％、  Ｍｎ：０．５０〜０．９０％、  Ｐ：０．０２０％以下、  Ｓ：０．０１０％以下、  Ｍｏ：０．４５〜０．６０％、  Ｎｂ：０．００５〜０．０２５％、  Ａｌ：０．００５〜０．０５０％、および  Ｎ：０．００１０〜０．００７０％、を含有し、さらに、Ｃｕ、Ｎｉ、Ｃｒを、  Ｃｕ＋Ｎｉ＋Ｃｒ：０．８００〜１．１００％、  （ただし、各元素記号は各元素の含有量を示す。）を満足する範囲で含有し、残部がＦｅ及び不可避的不純物からなり、  前記母材鋼板の板厚方向の板厚１／２位置におけるベイナイトの面積率は２０％以上であり、板厚方向の板厚１／２位置におけるフェライトの平均結晶粒径は１５μｍ以下であるクラッド鋼板。［２］  前記母材鋼板の成分組成が、さらに質量％で、  Ｃｕ：０．３０〜０．４０％、  Ｎｉ：０．３０〜０．４０％、  Ｃｒ：０．２０〜０．３０％、を含有することを特徴とする［１］に記載のクラッド鋼板。［３］  前記母材鋼板の成分組成が、さらに質量％で、Ｖ：０．００５〜０．０３０％、Ｔｉ：０．００５〜０．０３０％、Ｃａ：０．０００５〜０．００４０％のうちから選ばれた１種または２種以上を含有する［１］又は［２］に記載のクラッド鋼板。［４］  前記合せ材は、ステンレス鋼からなる［１］〜［３］のいずれかに記載のクラッド鋼板。［５］  前記合せ材は、Ｎｉ基合金からなる［１］〜［３］のいずれかに記載のクラッド鋼板。［６］  ［１］〜［３］のいずれかに記載の母材鋼板の成分組成を有する母材鋼板の素材とステンレス鋼からなる合せ材の素材とを組み立てた組立スラブを、表面温度で１０５０℃〜１２００℃の温度域に加熱し、  加熱した前記組立スラブに表面温度９５０℃以上の温度域での圧下比１．５以上とする圧延を施して圧延板を作製し、  前記圧延板に、前記母材鋼板の板厚方向の板厚１／２位置の温度でＡｃ３変態点以上１０００℃以下の焼きならしを２回以上施す  クラッド鋼板の製造方法。［７］  ［１］〜［３］のいずれかに記載の母材鋼板の成分組成を有する母材鋼板の素材とＮｉ基合金からなる合せ材の素材とを組み立てた組立スラブを、表面温度で１０５０℃〜１２００℃の温度域に加熱し、  加熱した前記組立スラブに表面温度９５０℃以上の温度域での圧下比２．０以上であって、圧延終了温度を前記組立スラブの表面温度８００℃以上とする圧延を施して圧延板を作製し、  前記圧延板に、前記母材鋼板の板厚方向の板厚１／２位置の温度でＡｃ３変態点以上１０００℃以下の焼きならしを２回以上施す  クラッド鋼板の製造方法。［８］  前記組立スラブを、母材鋼板の素材、合せ材の素材、合せ材の素材、母材鋼板の素材の順に積層して、または母材鋼板の素材と合せ材の素材とを積層して組み立てる［６］または［７］に記載のクラッド鋼板の製造方法。
【発明の効果】
【０００９】  本発明のクラッド鋼板及びその製造方法によれば、ベイナイトの面積率を２０％以上として母材強度を確保しながら、母材鋼板の板厚方向の板厚１／２位置におけるフェライトの平均結晶粒径を１５μｍ以下として母材靱性を確保することができる。
【発明を実施するための形態】
【００１０】  以下、本発明の実施形態について説明する。クラッド鋼は、母材の片面または両面に合せ材が接合された構造を有する。合せ材としては、例えば耐食性のステンレス鋼又はＮｉ基合金が挙げられるが、これに限定されず、用途に応じて種々の合金を用いることができる。なお、クラッド鋼板の板厚は例えば７０ｍｍ程度であるが、これに限定されない。また、通常、母材鋼板の板厚は５〜６６ｍｍ程度であり、合せ材の板厚は１．５〜４．０ｍｍ程度である。
【００１１】  まず、本発明のクラッド鋼板における母材鋼板の成分組成について説明する。なお、成分組成における単位はいずれも「質量％」であるが、以下、特に断らない限り、単に「％」で示す。
【００１２】  母材鋼板の成分組成は、質量％で、Ｃ：０．１２０〜０．１８０％、Ｓｉ：０．１５〜０．４０％、Ｍｎ：０．５０〜０．９０％、Ｐ：０．０２０％以下、Ｓ：０．０１０％以下、Ｃｕ＋Ｎｉ＋Ｃｒ：０．８００〜１．１００％（ただし、各元素記号は各元素の含有量を示す。）、Ｍｏ：０．４５〜０．６０％、Ｎｂ：０．００５〜０．０２５％、Ａｌ：０．００５〜０．０５０％、Ｎ：０．００１０〜０．００７０％、を含有する。以下、各成分組成について詳説する。
【００１３】  Ｃ：０．１２０〜０．１８０％  Ｃは、炭化物として析出強化に寄与する元素である。ここで、Ｃ含有量が０．１２０％未満では、十分な母材強度を確保できない。一方、Ｃ含有量が０．１８０％を超えると、粗大な炭化物（セメンタイト）の析出により、母材靭性および溶接熱影響部靱性を劣化させる。従って、Ｃ含有量は０．１２０〜０．１８０％とする。好ましい上限値は０．１６５％である。
【００１４】  Ｓｉ：０．１５〜０．４０％  Ｓｉは、脱酸や固溶強化による母材強度確保のため添加する元素である。ここで、Ｓｉ含有量が０．１５％未満では、その効果が十分ではない。一方、Ｓｉ含有量が０．４０％を超えると、母材靭性や溶接熱影響部靭性を劣化させる。従って、Ｓｉ含有量は０．１５〜０．４０％とする。好ましい下限値は０．２０％である。
【００１５】  Ｍｎ：０．５０〜０．９０％  Ｍｎは、焼き入れ性向上による母材強度確保および母材靭性確保のため添加する元素である。ここで、Ｍｎ含有量が０．５０％未満では、その効果が十分ではない。一方、Ｍｎ含有量が０．９０％を超えると、溶接性が劣化する。従って、Ｍｎ含有量は０．５０〜０．９０％とする。好ましい下限値は０．７０％である。
【００１６】  Ｐ：０．０２０％以下  Ｐは、母材靭性を劣化させる不可避的不純物である。従って、Ｐ含有量は０．０２０％以下とする。好ましくは０．００８０％以下である。
【００１７】  Ｓ：０．０１０％以下、  Ｓは、一般に鋼中においては硫化物系介在物として存在し、母材靭性を劣化させる。従って、Ｓは極力低減するのが好ましく、Ｓ含有量は０．０１０％以下とする。好ましくは０．００５０％以下である。
【００１８】  Ｍｏ：０．４５〜０．６０％、  Ｍｏは析出強化により母材鋼板の高強度化に寄与する。ここで、Ｍｏ含有量が０．４５％未満ではその効果は十分ではない。一方、Ｍｏ含有量が０．６０％を超えると、溶接熱影響部の靭性を劣化させる場合がある。従って、Ｍｏを含有させる場合、その含有量は０．４５〜０．６０％以下とする。好ましい下限値は０．５０％である。
【００１９】  Ｎｂ：０．００５〜０．０２５％  Ｎｂは、析出強化や焼入れ性増大により母材鋼板の高強度化に寄与する。また、Ｎｂは炭窒化物を形成し、その炭窒化物によるピンニング効果でオーステナイトの粗大化を抑制し、母材靭性向上に寄与する。しかし、Ｎｂ含有量が０．００５％未満では、その効果が十分ではない。よって、Ｎｂ含有量は０．００５％以上とし、０．０１５％以上であることが好ましい。一方、Ｎｂ含有量が０．０２５％を超えると、島状マルテンサイトや粗大なＮｂ炭窒化物の生成を招き、溶接熱影響部の靭性が劣化する。従って、Ｎｂ含有量は０．０２５％以下とし、好ましくは０．０２０％以下である。
【００２０】  Ａｌ：０．００５〜０．０５０％  Ａｌは、窒化物によるピンニング効果でオーステナイトの粗大化を抑制し、母材靭性向上に寄与する元素である。また、脱酸のために添加される元素である。しかし、Ａｌ含有量が０．００５％未満では、これらの効果が十分ではない。一方、Ａｌ含有量が０．０５０％を超えると、アルミナクラスターを形成して延性を劣化させる。従って、Ａｌ含有量は０．００５〜０．０５０％とする。好ましい下限値は０．０２０％である。
【００２１】  Ｎ：０．００１０〜０．００７０％  Ｎは、０．００１０％以上含有させることにより、窒化物によるピンニング効果でオーステナイトの粗大化を抑制し、母材や溶接熱影響部の靭性向上に寄与する。しかし、Ｎ含有量が０．００７０％を超えると、溶接熱影響部の靱性が劣化する。従って、Ｎ含有量は０．００１０〜０．００７０％とする。好ましい下限値は、０．００２０％である。
【００２２】  Ｃｕ＋Ｎｉ＋Ｃｒ：０．８００〜１．１００％  （ただし、各元素記号は各元素の含有量を示す。）  Ｃｕ、Ｎｉ、Ｃｒはいずれも、焼入れ性を向上させる元素であり、母材強度確保および母材靭性確保のため添加する元素である。ここで、Ｃｕ、Ｎｉ、Ｃｒの合計含有量が０．８００％未満では、十分な強度‐靱性バランスを確保できない。よって、Ｃｕ、Ｎｉ、Ｃｒの合計含有量は０．８００％以上とし、０．９５０％以上とすることが好ましい。しかし、Ｃｕ、Ｎｉ、Ｃｒは高価な元素であるため、多量に含有させるとコストの増加を招く。従って、Ｃｕ、Ｎｉ、Ｃｒの合計含有量は１．１００％以下とする。
【００２３】  なお、Ｃｕ、Ｎｉ、Ｃｒのすべての元素を含有させる必要はなく、いずれか１種もしくは２種を含有させて上記合計含有量を満たしていればよい。Ｃｕ、Ｎｉ、Ｃｒのすべて含有させる場合、Ｃｕ：０．３０〜０．４０％、Ｎｉ：０．３０〜０．４０％、および、Ｃｒ：０．２０〜０．３０％、でそれぞれ含有させてもよい。Ｃｕ含有量が０．３０％未満、Ｎｉ含有量が０．３０％未満、またはＣｒ含有量が０．２０％未満では、十分な強度−靱性バランスを確保できない。このため、Ｃｕ、Ｎｉ、およびＣｒを含有させる場合には、Ｃｕ含有量は０．３０％以上とし、０．３５％以上であることが好ましく、Ｎｉ含有量は０．３０％以上とし、０．３５％以上であることが好ましく、Ｃｒ含有量は０．２０％以上とし、０．２５％以上であることが好ましい。しかし、Ｃｕ、Ｎｉ、Ｃｒは高価な元素であるため、多量に含有させるとコストの増加を招く。従って、Ｃｕ、Ｎｉ、Ｃｒを含有させる場合には、Ｃｕ含有量は０．４０％以下、Ｎｉ含有量は０．４０％以下、Ｃｒ含有量は０．３０％以下とする。
【００２４】  また、上記した成分組成に加えて、さらにＶ：０．００５〜０．０３０％、Ｔｉ：０．００５〜０．０３０％、Ｃａ：０．０００５〜０．００４０％、のうちから選ばれた１種または２種以上を含有させてもよい。
【００２５】  Ｖ：０．００５〜０．０３０％  Ｖは、析出強化により母材鋼板の高強度化に寄与する。ここで、Ｖ含有量が０．００５％未満ではその効果が十分ではない。一方、Ｖ含有量が０．０３０％を超えると、溶接熱影響部の靭性が劣化する。従って、Ｖを含有させる場合、その含有量は０．００５〜０．０３０％以下とする。さらに好ましい下限値は０．０２５％である。
【００２６】  Ｔｉ：０．００５〜０．０３０％  Ｔｉは、０．００５％以上含有させることにより、窒化物によるピンニング効果でオーステナイトの粗大化を抑制し、母材や溶接熱影響部の靭性向上に寄与する。また、Ｔｉは、析出強化による鋼板の高強度化に有効な元素である。しかし、Ｔｉ含有量が０．０３０％を超えると、窒化物が粗大化し脆性破壊や延性破壊の起点となる。従って、Ｔｉを含有させる場合、その含有量は０．００５〜０．０３０％とする。好ましい上限値は０．０２０％である。
【００２７】  Ｃａ：０．０００５〜０．００４０％  Ｃａは、鋼中のＳを固定して母材靭性や耐ＨＩＣ特性を向上させる働きがある。この効果を得るためには、Ｃａを０．０００５％以上含有させることが好ましい。しかし、Ｃａ含有量が０．００４０％を超えると、鋼中の介在物を増加させ、母材靭性や耐ＨＩＣ特性を劣化させる場合がある。従って、Ｃａを含有させる場合、その含有量は０．０００５〜０．００４０％以下とする。さらに好ましくは０．００２０〜０．００３０％である。
【００２８】  なお、上記母材鋼板において上記組成成分の残部はＦｅおよび不可避不純物である。不可避不純物とは、原料中に存在し、あるいは製造工程において不可避的に混入するもので、本来は不要なものであるが、微量であり、特性に影響を及ぼさないため、含有が許容されている不純物を意味する。よって、不可避的不純物が含まれていても母材の特性に顕著な変化は生じない。たとえば、０．００３％以下の酸素（Ｏ）が含有されることは許容される。
【００２９】  以上、クラッド鋼の母材の適正組成範囲について説明したが、当該成分組成の制御に加えて母材鋼板の鋼組織を制御することにより、母材強度および母材靱性の向上を図ることができる。まず、母材強度を確保するために、母材鋼板の鋼組織はベイナイトを含む組織になっている。具体的には、母材鋼板の板厚方向の板厚１／２位置におけるベイナイトの面積率を２０％以上とする。また、母材靱性を確保するためには、母材鋼板において脆性亀裂の起点となりうる粗大な炭化物（セメンタイト）の低減と脆性亀裂伝播抵抗を増大させる組織の微細化を同時に行うことが有効である。具体的には、母材鋼板の板厚方向の板厚１／２位置におけるフェライトの平均結晶粒径を１５μｍ以下とする。以下にベイナイトの面積率及びフェライトの平均結晶粒径について分説する。
【００３０】  母材鋼板の板厚方向の板厚１／２位置におけるベイナイトの面積率：２０％以上  母材鋼板の鋼組織は、強度確保の観点からベイナイトを含む組織とする必要があり、このベイナイトは変態組織強化によって鋼板の強度向上に有効に寄与する。具体的には、母材鋼板の板厚方向の板厚１／２位置（以下、単に板厚１／２位置ともいう）における鋼組織全体に対するベイナイトの面積率で２０％以上とする。なお、母材鋼板は、ベイナイトを面積率で２０％以上含有するものであればよく、フェライトとベイナイトの合計の面積率が１００％からなるものでもよいし、フェライトとベイナイト以外の鋼組織を含有するものであってもよい。
【００３１】  板厚１／２位置におけるベイナイトの面積率は、以下のようにして求めたものである。すなわち、面積率は、母材鋼板の板厚方向の板厚１／２位置のＬ断面（圧延方向に平行で圧延面法線方向に平行な断面）を鏡面研磨後、ナイタールにより腐食し、無作為に選択した１．２ｍｍ２の領域を、光学顕微鏡を用いて倍率：１００倍観察し、画像解析することで求めたものである。
【００３２】  フェライトの平均結晶粒径：１５μｍ以下  フェライトの結晶粒界は、脆性亀裂伝播の抵抗となるため、結晶粒の微細化は母材靭性の向上に寄与する。従って、フェライトの平均結晶粒径は１５μｍ以下とする。なお、フェライトの平均結晶粒径はＪＩＳ  Ｇ  ０５５１に準拠して評価したものである。
【００３３】  クラッド鋼において、母材鋼板に接合された合せ材は、例えば耐食性合金からなっている。耐食性合金は特に限定されるものではないが、ＳＵＳ４０５やＳＵＳ４１０Ｓ等のステンレス鋼もしくはＮｉ基合金とすることが好ましい。
【００３４】  上述した母材鋼板の組織制御を行うには、成分組成および製造条件、特に圧延後の焼きならし条件を適正に制御することが重要である。そこで、上記クラッド鋼板の製造方法について説明する。このクラッド鋼板の製造方法は、上記した成分組成を有する母材鋼板の素材と、ステンレス鋼もしくはＮｉ基合金からなる合せ材の素材とを積層してなる組立スラブを、表面温度で１０５０℃〜１２００℃の温度域に加熱し、組立スラブに、表面温度９５０℃以上の温度域で合せ材の種類に応じた圧下比で圧延を施した後、空冷して母材鋼板と合せ材からなる圧延板を作製し、作製した圧延板に、母材鋼板の板厚方向の板厚１／２位置の温度でＡｃ３変態点以上１０００℃以下の焼きならしを２回以上施すものである。
【００３５】  ここで、組立スラブは、例えば、母材鋼板の素材と合せ材の素材とを積層して、または、母材鋼板の素材、合せ材の素材、合せ材の素材、母材鋼板の素材の順に積層して組み立てられる。なお、合せ材同士を重ね合わせる際、合せ材間に剥離剤を予め塗布しておき、焼きならし処理の終了後に、上部と下部とを剥離することによって、製品板となる母材鋼板の片面に合せ材が接合されているクラッド鋼板が得られる。また、組立スラブは、例えば１０−４ｔｏｒｒ以下の真空（負圧）となる環境下で母材鋼板同士を電子ビーム溶接またはレーザービーム溶接し、母材鋼板と合せ材とを仮付けしたものであってもよい。
【００３６】  スラブ加熱温度が表面温度で１０５０℃〜１２００℃での加熱  スラブ加熱温度が１０５０℃未満では、母材鋼板と合せ材との接合性の確保が困難になる。一方、スラブ加熱温度が１２００℃を超えると、母材鋼板においてオーステナイトが粗大化し、靱性が劣化する。従って、スラブ加熱温度は１０５０℃〜１２００℃とする。好ましくは１０５０〜１１００℃である。
【００３７】  表面温度９５０℃以上の温度域で合せ材の種類に応じた圧下比での圧延  クラッド鋼板の母材鋼板と合せ材との接合性は、高温域での圧延により確保される。すなわち、高温域での圧延では、母材鋼板と合せ材の変形抵抗が小さくなって良好な接合界面が形成されるため、接合界面での元素の相互拡散が容易になり、母材鋼板と合せ材との接合性が確保される。
【００３８】  母材鋼板と合せ材との接合性の観点から、合せ材の種類に応じて圧下比が設定される。合せ材がステンレス鋼からなる場合、圧延される材料の表面温度９５０℃以上の温度域での圧下比を１．５以上とする必要がある。好ましくは表面温度１０００℃以上の温度域での圧下比を２．０以上とする。
【００３９】  合せ材がＮｉ基合金からなる場合、圧延される材料の表面温度９５０℃以上の温度域での圧下比を２．０以上とする必要がある。好ましくは表面温度１０００℃以上の温度域での圧下比を２．５以上とする。さらに、合せ材がＮｉ基合金からなる場合、圧延終了温度が表面温度で８００℃を下回ると、母材と合せ材との界面にせん断応力が加わり、接合性が劣化する場合がある。したがって、圧延終了温度は、組立スラブの表面温度で８００℃以上とする。
【００４０】  焼きならし温度：板厚１／２位置の温度でＡｃ３変態点以上１０００℃以下での焼きならし  上記のクラッド圧延後、圧延板を加熱して焼きならしを行う。なお、ここでいう焼きならし温度は、圧延板の母材鋼板部分における板厚方向の板厚１／２位置の温度である。焼きならし温度がＡｃ３変態点未満であると、オーステナイト変態が完了せず、最終組織が不均一となって母材鋼板の靱性が劣化する。一方、焼きならし温度が１０００℃を超えると、オーステナイトのピンニングに作用するＡｌの窒化物やＮｂの炭窒化物の溶解により、オーステナイトが粗大化して母材鋼板の靱性が劣化する。従って、焼きならし温度はＡｃ３変態点以上１０００℃以下とする。好ましくは９００℃〜１０００℃である。なお、Ａｃ３変態点は、下記（１）式により求めることができる。Ａｃ３（℃）＝９１２．０?２３０．５×Ｃ＋３１．６×Ｓｉ?２０．４×Ｍｎ?３９．８×Ｃｕ?１８．１×Ｎｉ?１４．８×Ｃｒ＋１６．８×Ｍｏ…（１）  ここで、上記式（１）における元素記号は、各元素の含有量（質量％）を意味し、当該元素が含有されていない場合にはゼロとする。
【００４１】  焼きならし回数：２回以上  最終組織のフェライトは、焼きならし時のオーステナイトの微細化によるフェライト変態核生成サイトの増加により微細化する。ここで、焼きならしの加熱時のオーステナイトの粒径は、焼きならし前組織の粒径と焼きならし時の析出物の分散状態が影響する。焼きならし前組織の微細化、析出物の量の増加およびサイズの低下をさせることにより、焼きならしの加熱時のオーステナイトは微細化する。上述のように、クラッド鋼板は合せ材と母材の接合性確保のために、高温での圧延が必要であり、母材の焼きならし前組織が、母材をクラッドではなく炭素鋼単独で製造する無垢材の組織に比べて粗大になり易い。そこで、焼きならしを２回以上実施することで、析出物の分散状態に顕著な変化はないが、焼きならし前組織が微細化することで最終組織のフェライトが微細化して母材靱性を確保することができる。従って、焼きならし回数は２回以上とする。各回の焼きならしの加熱時の温度の相互の関係については、特に制約されるものではなく、適宜選択してもよい。
【実施例１】
【００４２】  実施例１において、下記表１に示す成分組成を有する母材鋼板の素材を作製した。なお、合せ材はＳＵＳ４１０Ｓからなるステンレス鋼とした。表１〜３において、下線部分は、本発明の範囲外であることを意味し、「−」は含有していない、もしくは不可避不純物として含有している場合を意味する。【００４３】
【表１】
2021060173.tif 000002
【００４４】  表１に示す成分組成（残部はＦｅおよび不可避的不純物）の母材鋼板の素材と合せ材（ＳＵＳ４１０Ｓ）の素材とを積層して組み立てた組立スラブに、下記表２に示す条件で加熱した後に圧延を施して圧延板を作製し、ついで、得られた圧延板に、表２に示す条件で焼きならしを施して、板厚６９ｍｍのクラッド鋼板（母材鋼板の板厚：６５ｍｍ、合せ材の板厚：４ｍｍ）を製造した。焼きならしを２回実施した場合の焼きならし温度は、１回目と２回目とで同一の温度とした。【００４５】
【表２】
2021060173.tif 000003
【００４６】  かくして得られたクラッド鋼板に対し、ＪＩＳ  Ｚ２２４１に準拠した引張試験（試験片形状：４号、試験片採取位置：板厚１／２位置、試験片採取方向：Ｃ方向、試験温度：室温）およびＪＩＳ  Ｚ２２４２に準拠したシャルピー衝撃試験（ノッチ形状：Ｖノッチ、試験片採取位置：板厚１／２位置、試験片採取方向：Ｃ方向）を実施し、降伏強度（ＹＳ）および引張強さ（ＴＳ）、延性脆性遷移温度（ｖＴｒｓ）を求めた。なお、引張試験およびシャルピー衝撃試験の試験片採取位置が板厚１／２位置というのは、母材鋼板の板厚１／２位置であることを指す。【００４７】  また、ＪＩＳＧ０６０１に準拠したせん断試験を実施して母材鋼板と合せ材との接合界面せん断強度を求め、母材鋼板と合せ材の接合性を評価した。接合界面せん断強度が３００ＭＰａ以上の場合に接合性が良好であるとした。さらに、上述した方法により、鋼組織の同定および各相の面積率の算出、ならびにフェライトの平均結晶粒径の算出を行った。これらの結果を表３に示す。【００４８】
【表３】
2021060173.tif 000004
【００４９】  評価基準として、母材鋼板の板厚方向の板厚１／２位置において、引張強さＴＳ（Ｔｅｎｓｉｌｅ  Ｓｔｒｅｎｇｔｈ）≧５１５［ＭＰａ］（焼きならし後、ＰＷＨＴ６４０℃−３ｈｒ後、ＰＷＨＴ６４０℃−２１ｈｒ後）、降伏強度ＹＳ（Ｙｉｅｌｄ  Ｓｔｒｅｎｇｔｈ）≧２９５［ＭＰａ］（焼きならし後、ＰＷＨＴ６４０℃−２１ｈｒ後）、降伏強度ＹＳ≧３９０［ＭＰａ］（ＰＷＨＴ６４０℃−３ｈｒ後）、延性脆性遷移温度ｖＴｒｓ＜−１０［℃］（ＰＷＨＴ６４０℃−２１ｈｒ後）であるものを、例えば３００℃以上で使用されるコークドラム等の圧力容器用のクラッド鋼板に求められる特性（母材強度及び母材靭性）を満足するものであると評価した。【００５０】  表３の発明例では、いずれも上記母材強度及び母材靭性を満足する結果が得られており、接合性も良好であることがわかる。一方、比較例Ｎｏ．２は、母材鋼板のＣ、ＭｎおよびＭｏ含有量が適正範囲を下回っているため、冷却中に生じたベイナイトの量も少なく、所望の引張特性が得られない。比較例Ｎｏ．９は、母材鋼板のＣ含有量およびＳｉ含有量が適正範囲を上回っているため、所望の母材靭性が得られない。比較例のＮｏ．１０は、母材鋼板のＣ含有量が適正範囲を上回っており、Ｃｕ、Ｎｉ、Ｃｒの合計含有量が適正範囲を下回っているため、所望の母材靭性が得られない。【００５１】  比較例Ｎｏ．１１は、Ａｌ、ＮｂおよびＮ含有量が適正範囲を下回っているため、所望の母材靭性が得られない。比較例Ｎｏ．１６は、スラブ加熱温度が適正範囲を上回っており、また、焼きならし回数が適正範囲を下回っているため、所望の母材靭性が得られない。比較例Ｎｏ．１８は、焼きならし温度が適正範囲を下回っているため、所望の母材靭性が得られない。比較例Ｎｏ．１９は、焼きならし温度が適正範囲を上回っているため、所望の母材特性が得られない。比較例Ｎｏ．２１は、スラブ加熱温度および９５０℃以上での圧下比が適正範囲を下回っているため、所望の母材鋼板と合せ材の接合性が得られない。比較例のＮｏ．２２は、焼きならし回数が適正範囲を下回っているため、所望の母材靭性が得られない。比較例のＮｏ．２３は、スラブ加熱温度が適正範囲を上回っているため、所望の母材靭性が得られない。以上のように、合せ材としてステンレス鋼を用いた場合、当該成分組成の制御に加えて母材鋼板の鋼組織を制御することにより、クラッド鋼板における母材強度および母材靱性の向上を図ることができた。
【実施例２】
【００５２】  実施例２において、上述した表１に示す実施例１と同様の成分組成を有する母材鋼板の素材を作製した。ただし、合せ材の素材はＡｌｌｏｙ６２５からなるＮｉ基合金とした。【００５３】  表１に示す成分組成（残部はＦｅおよび不可避的不純物）の母材鋼板の素材と合せ材の素材とを、上述した手法により積層して組み立てた組立スラブに、下記表４に示す条件で圧延を施して圧延板を作製した。ついで、得られた圧延板に、表４に示す条件で焼きならしを施して、板厚６９ｍｍのクラッド鋼板（母材鋼板の板厚：６５ｍｍ、合せ材の板厚：４ｍｍ）を製造した。焼きならしを２回実施した場合の焼きならし温度は、１回目と２回目とで同一の温度とした。【００５４】
【表４】
2021060173.tif 000005
【００５５】  かくして得られたクラッド鋼板に対し実施例１と同様の評価試験を行い、降伏強度（ＹＳ）、引張強さ（ＴＳ）、延性脆性遷移温度（ｖＴｒｓ）及び接合界面せん断強度を求めた。これらの結果を表５に示す。【００５６】
【表５】
2021060173.tif 000006
【００５７】  そして、上記実施例１と同様の評価基準を用いて、母材強度、母材靭性及び母材鋼板と合せ材の接合性を評価した。表５の発明例ではいずれも、上述した降伏強度（ＹＳ）、引張強さ（ＴＳ）、延性脆性遷移温度（ｖＴｒｓ）及び接合界面せん断強度の基準を満足していることがわかる。【００５８】  一方、比較例Ｎｏ．２６は、母材鋼板のＣ、ＭｎおよびＭｏ含有量が適正範囲を下回っているため、冷却中に生じたベイナイトの量も少なく、所望の引張特性が得られない。比較例Ｎｏ．３３は、母材鋼板のＣおよびＳｉ含有量が適正範囲を上回っているため、所望の母材靭性が得られない。比較例Ｎｏ．３４は、母材鋼板のＣ含有量が適正範囲を上回っており、Ｃｕ、Ｎｉ、Ｃｒの合計含有量が適正範囲を下回っているため、所望の母材靭性が得られない。比較例Ｎｏ．３５は、Ａｌ、ＮｂおよびＮ含有量が適正範囲を下回っているため、所望の母材靭性が得られない。【００５９】  比較例Ｎｏ．４０は、スラブ加熱温度が適正範囲を上回っており、また、焼きならし回数が適正範囲を下回っているため、所望の母材靭性が得られない。比較例Ｎｏ．４１は、スラブ加熱温度および９５０℃以上での圧下比が適正範囲を下回っているため、所望の母材鋼板と合せ材の接合性が得られない。比較例Ｎｏ．４２は、焼きならし温度が適正範囲を下回っているため、所望の母材靭性が得られない。比較例Ｎｏ．４３は、焼きならし温度が適正範囲を上回っているため、所望の母材特性が得られない。比較例Ｎｏ．４４は、圧延終了温度が適正範囲を下回っているため、所望の母材鋼板と合せ材の接合性が得られない。比較例のＮｏ．４５は、焼きならし回数が適正範囲を下回っているため、所望の母材靭性が得られない。比較例のＮｏ．４６は、スラブ加熱温度が適正範囲を上回っているため、所望の母材靭性が得られない。以上のように、合せ材としてＮｉ基合金を用いた場合、当該成分組成の制御に加えて母材鋼板の鋼組織を制御することにより、クラッド鋼板における母材強度および母材靱性の向上を図ることができた。 
【国際調査報告】
2021060173.tif 000007
2021060173.tif 000008
2021060173.tif 000009
2021060173.tif 000010